(57)【要約】【課題】空調空気や清浄空気を室内全域に満遍なく行き渡らせ、さらに廉価かつ短期間に設置可能で、室内のレイアウトの変更に応じて据付位置を容易に変えられる送風ユニットを提供する。【解決手段】送風ユニット１４Ａは、空気の風速を空気吹出口２６の下方から上方に向かって次第に速くする風速調節機構を有し、この風速調節機構が、空気流路２７に配置された２つの仕切板２８，２９によって上方から下方に向かって区分された第１〜第３流路３０，３１，３２を備え、これら各流路にはダンパ３５，３６，３７が設置されている。各ダンパの羽根３９，４０，４１の開度は、第３流路３２から第１流路３０に向かって流れる空気流量を順次大きくするように設定されている。【選択図】図３
2010025549.tif 000002
【特許請求の範囲】
【請求項１】
空気流入口と、室内に面して該室内の上方に配置された空気吹出口と、前記空気流入口から前記空気吹出口に向かって延びる空気流路とを備え、空調空気や清浄空気を前記空気吹出口から前記室内に放出する送風ユニットにおいて、
前記送風ユニットが、前記空気の風速を前記空気吹出口の下方から上方に向かって次第に速くする風速調節機構を有し、
前記風速調節機構が、前記空気流路に配置された少なくとも１つの仕切板と、前記仕切板によって前記空気流路の上方から下方に向かって区分された第１〜第ｎ流路と、前記第１〜第ｎ流路に設置されたダンパとから構成され、前記ダンパの羽根の開度が、前記第ｎ流路から前記第１流路に向かって流れる空気流量を順に大きくすべく設定されていることを特徴とする送風ユニット。
【請求項２】
空気流入口と、室内に面して該室内の上方に配置された空気吹出口と、前記空気流入口から前記空気吹出口に向かって延びる空気流路とを備え、空調空気や清浄空気を前記吹出口から前記室内に放出する送風ユニットにおいて、
前記送風ユニットが、前記空気の風速を前記空気吹出口の下方から上方に向かって次第に速くする風速調節機構を有し、
前記風速調節機構が、前記空気流路に配置された少なくとも１つの仕切板と、前記仕切板によって前記空気流路の上方から下方に向かって区分された第１〜第ｎ流路と、前記第１〜第ｎ流路に個別に設置され、複数の空気流通孔を有して前記空気の通過流量を調節可能な複数の調節プレートとから形成され、前記第ｎ流路に設置された前記調節プレートの空気流通孔の開口面積がもっとも小さく、前記第１流路に設置された前記調節プレートの空気流通孔の開口面積がもっとも大きくなるように、それら調節プレートに形成された空気流通孔の開口面積が第ｎ流路から第１流路に向かって順に大きくなっていることを特徴とする送風ユニット。
【請求項３】
前記空気流路には、エアフィルタと熱交換器と送風機とのうちの少なくとも１つが設置されている請求項１又は２に記載の送風ユニット。
【発明の詳細な説明】
【技術分野】
【０００１】
本発明は、空調空気や清浄空気を室内に送風する送風ユニットに関する。
【背景技術】
【０００２】
室内の冷暖房や除湿、加湿、空気清浄を行う空調装置の一例として、空調機が収容された機器収容ボックスと、ボックスの頂部に設置された送風ユニットとから形成された直吹床置き型空調装置がある。直吹床置き型空調装置では、空調機から供給された空調空気や清浄空気が送風ユニットの吹出口から室内に向かって略水平に放出される。室内の空気は、空調装置の下部に形成された吸入口から装置内に流入し、空調機によって空調空気となって送風ユニットから再び室内に放出される。このような直吹床置き型空調装置では、送風ユニットの吹出口から放出された空調空気や清浄空気が室内に設置された製造設備や事務設備にぶつかり、空気の室内における流動がそれら設備によって阻止される。そのため空気を室内全域に満遍なく行き渡らせることができず、室内の任意の箇所に空気のよどみが発生する場合がある。
【０００３】
空調空気や清浄空気を室内全域に満遍なく行き渡らせる空調装置として、室の天井に設置された吹出口及び床面近傍に位置する吸入口と、ダクトを介して吹出口と吸入口とにつながる空調機とから形成された垂直流型空調システムがある（特許文献１参照）。空調機から供給される空調空気や清浄空気は、吹出口から床に向かって放出される。室内を下降する空気は、床面近傍に位置する吸入口から吸引されて再び空調機へ流入する。この垂直流型空調システムは、空調空気や清浄空気が天井から床に向かって放出されるから、空気の室内における流動が製造設備や事務設備によって阻止されることはない。
【先行技術文献】
【特許文献】
【０００４】
【特許文献１】特開平４−６２３４５号公報
【発明の概要】
【発明が解決しようとする課題】
【０００５】
しかし、前記垂直流型空調システムは、天井内ダクト工事や天井仕上げ工事、保温工事等が必要であり、設置コストが高く、装置を廉価に設置することができない。また、垂直流型空調システムは、その設置に多数の工事を必要とするので、設置工期の短縮が困難である。さらに、吹出口と吸入口とを簡単に移設することができず、室内のレイアウトの変更に応じて吹出口の配置を容易に変えることができないから、室内のレイアウト変更の自由度が少ない。
【０００６】
本発明の目的は、空調空気や清浄空気を室内全域に満遍なく行き渡らせることができる送風ユニットを提供することにある。本発明の他の目的は、装置を廉価かつ短期間に設置することができ、室内のレイアウトの変更に応じて配置を容易に変えることができる送風ユニットを提供することにある。
【課題を解決するための手段】
【０００７】
本発明は、空気流入口と、室内に面して該室内の上方に配置された空気吹出口と、空気流入口から空気吹出口に向かって延びる空気流路とを備え、空調空気や清浄空気を空気吹出口から室内に放出する送風ユニットであり、その特徴とするところは、空調空気や清浄空気の風速を空気吹出口の下方から上方に向かって次第に速くする風速調節機構を有し、この風速調整機構が、空気流路に配置された少なくとも１つの仕切板と、この仕切板により空気流路を上方から下方に向かって区分して形成された第１〜第ｎ流路と、これらの第１〜第ｎ流路のそれぞれに設置されたダンパとから構成され、該各ダンパの羽根の開度が、第ｎ流路を流れる空気流量を最小として、第ｎ流路から第１流路に向かって順次大きくなるように設定されている。
【０００８】
本発明の他の一例としては、風速調節機構が、空気流路に配置された少なくとも１つの仕切板と、この仕切板により空気流路を上方から下方に向かって区分して形成された第１〜第ｎ流路と、第１〜第ｎ流路に個別に設置され、複数の空気流通孔を有して空気の通過流量を調節可能な複数の調節プレートとから形成され、第ｎ流路に設置された調節プレートの空気流通孔の開口面積がもっとも小さく、第１流路に設置された調節プレートの空気流通孔の開口面積がもっとも大きくなるように、それら調節プレートに形成された空気流通孔の開口面積が第ｎ流路から第１流路に向かって順に大きくなっている。
【０００９】
本発明の他の一例として、空気流路には、エアフィルタと熱交換器と送風機とのうちの少なくとも１つが設置されている。
【発明の効果】
【００１０】
本発明の送風ユニットによれば、空気流路に設置された少なくとも１つの仕切板により区分された第１〜第ｎ流路のそれぞれに設置されたダンパの羽根の開度が、第１〜第ｎ流路を通過する空調空気や清浄空気の流量を第ｎ流路から第１流路に向かって順次大きくなるように設定されているので、上方の空気吹出口から風速の最も速い空気が室内に放出されて遠方に送られ、下方の空気吹出口から風速のもっとも遅い空気が室内に放出されて送風ユニットの近辺に送られ、上下方向中央に位置する空気吹出口から中間程度の風速の空気が室内に放出されて遠方位置と近辺の位置との間の中間位置に送られる。
【００１１】
これにより、この送風ユニットから放出される風速のもっとも速い空調空気や清浄空気が、高さ寸法の高い製造設備や事務設備の上方を越えて設備の裏側に達し、中間程度の風速の空調空気や清浄空気が、高さ寸法の低い製造設備や事務設備の上方を越えて設備の裏側に達するから、それら設備によって室内における空気の流動が阻止されることはなく、空気を室内全域に満遍なく行き渡らせることができ、室内における空気のよどみの発生を防ぐことができる。この送風ユニットは、それの設置に天井内ダクト工事や天井仕上げ工事、保温工事等を行う必要がなく、ユニットを廉価に設置することができ、さらに、それを自由に移設することができるから、室内のレイアウト変更に応じて配置を容易に変えることができる。
【００１２】
さらに、本発明の送風ユニットによれば、風速調整機構が、空気流路を仕切板により区分された各流路に、それぞれ羽根の開度を変えたダンパを設置することで構成されているので、送風ユニットを非常に容易にかつ廉価に製造することができる。すなわち、かかる送風ユニットによれば、これを単体の装置として製造するとき、その筐体も、また空気流路を区分する仕切板の取付け位置も全く同一にして製造し、使用場所に応じて羽根の開度を設定したダンパを区分された各流路に取り付けるだけである。従って、ダンパを除けば、すべて共通部品であるので、送風ユニットの据付け場所に応じてダンパだけを選択して取り付ければよいので、その製造が非常に容易となると共に、廉価となる。
【００１３】
また、本発明の送風ユニットによれば、風速調節機構が、仕切板によって区分された複数の流路にそれぞれ設置された複数の調節プレートを備え、これら各調節プレートにおける空気流通孔の開口面積が、最下方に位置する流路に設置された調節プレートの空気流通孔から最上方に位置する流路に設置された調節プレートの空気流通孔に向かって順次大きくされているので、上方の空気吹出口から風速の最も速い空調空気や清浄空気が室内に放出されて遠方に送られ、下方の空気吹出口から風速のもっとも遅い空調空気や清浄空気が室内に放出されて送風ユニットの近辺に送られ、上下方向中央に位置する空気吹出口から中間程度の風速の空調空気や清浄空気が室内に放出されて遠方位置と近辺の位置との間の中間位置に送られる。
【００１４】
これにより、風速の最も速い空調空気や清浄空気が高さ寸法の高い製造設備や事務設備の上方を越えて設備の裏側に達し、中間程度の風速の空調空気や清浄空気が高さ寸法の低い製造設備や事務設備の上方を越えて設備の裏側に達するから、それら設備によって室内における空気の流動が阻止されることはなく、空気を室内全域に満遍なく行き渡らせることができ、室内における空気のよどみの発生を防ぐことができる。
【００１５】
さらに、空気流路にエアフィルタと熱交換器と送風機とのうちの少なくとも１つを設置することで、空調機や空気清浄機、送風機を別途設置する必要がなく、この送風ユニットだけで温風や冷風を作り、かつ空気清浄をも行え、更に送風も行うことができる。
【図面の簡単な説明】
【００１６】
【図１】一例として示す送風ユニットが設置された直吹床置き型空調装置の正面図。
【図２】図１の空調装置が配置された室の側面図。
【図３】一実施例の送風ユニットにおける内部構造を概略的に示す構成説明図。
【図４】空調装置が配置された室の上面図。
【図５】他の実施例に係る送風ユニットの内部構造を概略的に示す斜視図。
【図６】他の実施例に係る送風ユニットの内部構造を概略的に示す構成説明図。
【図７】他の実施例に係る送風ユニットの内部構造を概略的に示す構成説明図。
【図８】他の実施例に係る送風ユニットの内部構造を概略的に示す構成説明図。
【発明を実施するための形態】
【００１７】
添付の図面を参照し、本発明に係る送風ユニットの詳細を説明すると、以下のとおりである。図１，２は、一例として示す送風ユニット１４Ａが設置された直吹床置き型空調装置１０の正面図、及び直吹床置き型空調装置１０が配置された室１１の側面図である。図３，４は、送風ユニット１４Ａの内部構造を示す構成説明図、及び空調装置１０が配置された室１１の上面図である。図１〜３では、上下方向を矢印Ａ、横方向を矢印Ｂ（図１のみ）で示し、前後方向を矢印Ｃ（図２，３のみ）で示す。図３では、空調空気や清浄空気の流れを矢印で示している。図４では、空気が送風ユニット１４Ａから室１１に連続的に供給されているときの室１１の温度分布を等温線Ｘによって模式的に示している。
【００１８】
この直吹床置き型空調装置１０は、室１１の冷房や暖房、除湿、加湿、空気清浄に使用される。この空調装置１０を使用する室１１については、特に限定はなく、事務室や機械室、工場、クリーンルーム等のあらゆる室を挙げることができる。空調装置１０は、機器収容ボックスの内部に空調機機構（図示せず）を収容した空調機本体１２と、空調機本体１２の頂部１３に設置された送風ユニット１４Ａとから形成されている。空調機本体１２と送風ユニット１４Ａとは、ダクト１５を介して連結されている。空調装置１０は、図２に示されるように２台のそれらが一方の壁１６と他方の壁１７とに沿って設置されている。それら空調装置１０は、前後方向に互いに対向するように床に置かれている。なお、空調装置１０の台数について、特に限定はなく、室１１の容積や室１１の種類によって適宜決定することができる。室１１における空調装置１０の間には、２つの製造設備１９又は事務設備１９が設置されている。それら設備１９は、上下方向へ長い直方体であり、一方のそれの高さ寸法が他方のそれの高さ寸法よりも大きい。
【００１９】
空調機構を構成する構成要素、即ち各機器の一例としては、圧縮機、凝縮器、膨張弁、蒸発器、電気ヒータ、除湿器、加湿器、加熱冷却コイル（熱交換器）、送風機、エアフィルタ、送風機用電動機、制御装置（いずれも図示せず）等がある。空調機本体１２は、上下方向へ長い直方体であり、その前面２０が室内２１の中央に向かい、その後面２２が壁１６，１７に向かっている。空調機本体１２の前面２０の下部には、室内２１の中央に面して室内２１の空気を吸引する吸入口２３が形成されている。
【００２０】
送風ユニット１４Ａは、横方向へ長い直方体であり、室１１の上部（天井２４の近傍）に位置している。送風ユニット１４Ａは、空調機本体１２からの空調空気や清浄空気（以下、単に空気という）が流入する空気流入口２５と、空気を室内２１に放出する空気吹出口２６と、空気流入口２５と空気吹出口２６との間に延びる空気流路２７とを有する。空気流入口２５は、壁１６，１７の側に位置してダクト１５につながり、空気吹出口２６は、室内２１に面している。空気流路２７には、風速調節機構が設置され、この風速調節機構は、上下方向へ並ぶ２枚の第１及び第２仕切板２８，２９と、これら仕切板１８，１９により空気流路１７を区分して形成された第１流路３０，第２流路３１，及び第３流路３２とから構成されている。各仕切板２８，２９は、それぞれほぼ並行に空気流入口２５から空気吹出口２６に向かって前後方向へ延びている。
【００２１】
上下方向に並ぶ２枚の第１及び第２仕切板２８，２９により区分された第１〜第３流路３０、３１，３２のそれぞれには、モータダンパ３５，３６，３７が設置され、これらモータダンパ３５，３６，３７も風速調節機構を構成している。第１流路３０は、空気流路２７を上下方向に区分した３つの流路のうち上方に位置する流路であり、第２流路３１は３つの流路のうち中央に位置する流路であり、第３流路３２は３つの流路のうち下方に位置する流路である。第１〜第３流路３０，３１，３２における空気の入口部３３の面積および出口部３４の面積は同一である。ダンパ３５は第１流路３０の略中央に位置し、ダンパ３６は第２流路３１の略中央に位置し、ダンパ３７は第３流路３２の略中央に位置している。
【００２２】
各ダンパ３５，３６，３７は、モジュトロールモータ３８と、モータ３８の駆動力により旋回する旋回羽根３９とから形成され、これらダンパ３５，３６，３７の旋回羽根３９は、コントローラ（図示せず）からの制御信号により回転するモータ３８に接続され、これにより所定角度に調節される。羽根３９の開度は、第１〜第３流路３０，３１，３２を流れる空気の流量を調節する。すべてのダンパ３５，３６，３７の羽根３９が流路３０，３１，３２に水平の場合、それら流路３０，３１，３２を流れる空気の流量は同一である。なお、モータダンパ３５，３６，３７には、平行翼ダンパ又は対向翼ダンパを使用することができる。
【００２３】
この送風ユニット１４Ａでは、第１〜第３流路３０，３１，３２を流れる空気の流量が第３流路３２から第１流路３０に向かって順次大きくなるようにモータダンパ３５，３６，３７の羽根３９の開度が調節されている。空調機本体１２から送風された空気は、ダクト１５を通って送風ユニット１４Ａの空気流入口２５から空気流路２７に流入し、そこで第１流路３０と第２流路３１と第３流路３２とに分流する。それらダンパ３５，３６，３７の羽根の旋回角度は、ダンパ３７の羽根３９のそれが最も大きく、ダンパ３５の羽根３９のそれが最も小さく、ダンパ３６の羽根３９のそれがダンパ３５とダンパ３７との羽根３９のそれの中間である。従って、ダンパ３５の羽根３９により規制される第１流路３０を流れる空気の流量が最も多く、ダンパ３７の羽根３９により規制される第３流路３２を流れる空気の流量が最も少ない。また、第２流路３１を流れる空気の流量は、第１流路３０を流れる空気の流量よりも少なく、第３流路３２を流れる空気の流量よりも多い。
【００２４】
このように、送風ユニット１４Ａは、第１〜第３流路３０，３１，３２を流れる空気の流量が第３流路３２から第１流路３０に向かって順次大きいので、空気吹出口２６の上方から風速の最も速い空気が室内２１に放出され、空気吹出口２６の下方から風速の最も遅い空気が室内２１に放出され、更には空気吹出口２６の上下方向中央から中間程度の風速の空気が室内２１に放出される。ここで、第３流路３２から室内２１に放出される空気の風速を１とすると、第２流路３１から室内２１に放出される空気の風速が第３流路３２から室内２１に放出される空気の風速の２〜３倍、第１流路３０から室内２１に放出される空気の風速が第３流路３２から室内２１に放出される空気の風速の３〜５倍であることが好ましい。
【００２５】
なお、第３流路３２から室内２１に放出される空気の風速は、０．５ｍ／ｓｅｃ〜２．０ｍ／ｓｅｃが好ましく、より好ましくは、０．９ｍ／ｓｅｃ〜１．１ｍ／ｓｅｃである。この送風ユニット１４Ａは、空気吹出口２６の上方から室内２１の遠方に空気を送ることができ、空気吹出口２６の下方からユニット１４Ａの近辺における室内２１に空気を送ることができると共に、空気吹出口２６の上下方向中央から室内２１の遠方とユニット１４Ｂの近辺との間の室内２１中央に空気を送ることができる。
【００２６】
送風ユニット１４Ａは、図２に示されるように風速の最も速い空気が高さ寸法の高い製造設備１９や事務設備１９の上方を越えて設備１９の裏側に達し（図２の矢印Ｌ１）、中間程度の風速の空気が高さ寸法の低い製造設備１９や事務設備１９の上方を越えて設備１９の裏側に達する（図２の矢印Ｌ２）ので、それら設備１９によって室内２１における空気の流動が阻止されることはない。送風ユニット１４Ａは、空気を室内２１全域に満遍なく行き渡らせることができ、室内２１における空気のよどみの発生を防ぐことができる。送風ユニット１４Ａは、それを使用することで、図４に示されるように温度分布のムラのない快適な空調を構築することができる。この送風ユニット１４Ａは、それの設置に天井内ダクト工事や天井仕上げ工事、保温工事等を行う必要がなく、ユニット１４Ｂを廉価に設置することができ、さらに、それを自由に移設することができるので、室内２１のレイアウト変更に応じて配置を容易に変えることができる。
【００２７】
図５は、他の実施例に係る送風ユニット１４Ｂの内部構造を概略的に示す斜視図である。図５では、ダクト１５の図示を省略し、上下方向を矢印Ａ、横方向を矢印Ｂ示し、前後方向を矢印Ｃで示す。空調装置１０の空調機本体１２は図１に示される実施例のものと同一であり、室２１における設備１９の配置は図２，４のそれと同一であるので、図１，２，４を援用することで、それらの説明を省略する。以下、この送風ユニット１４Ｂが図３の送風ユニット１４Ａと異なる点のみを説明する。
【００２８】
送風ユニット１４Ｂの空気流路２７には、上下方向へ並びかつ空気流入口２５から空気吹出口２６に向かって前後方向へ水平に延びる２枚の第１及び第２仕切板２８，２９と、３つの調節プレート４０，４１，４２とが設置されている。空気流路２７は、仕切板２８，２９によって上下方向に並ぶ第１流路〜第３流路３０，３１，３２（第ｎ流路）に区分されている。第１流路３０は、空気流路２７を区分した３つの流路のうち上方に位置する流路であり、第２流路３１は、３つの流路のうち中央に位置する流路であり、第３流路３２は、３つの流路のうち下方に位置している流路である。第１〜第３流路３０，３１，３２における空気の入口部３３の面積および出口部３４の面積は同一であり、空気流路３０，３１，３２を通って調節プレート４０，４１，４２に達する空気の流量は同一である。調節プレート４０，４１，４２は、空気流入口２５の側に配置されて各流路３０，３１，３２に個別に固定されている。それら調節プレート４０，４１，４２には、それを通過する空調空気の流量を調節するための複数の空気流通孔４３，４４，４５が形成されている。
【００２９】
空気流通孔４３，４４，４５の開口面積は、第３流路３２に設置された調節プレートから第１流路３０に設置された調節プレートに向かって順次大きくなっている。すなわち、第１流路３０に配置された調節プレート４０の空気流通孔４３の開口面積が最も大きく、第３流路３２に配置された調節プレート４２のそれが最も小さく、第２流路３１に配置された調節プレート４１のそれが第１及び第３流路３０，３２のそれらの中間の大きさである。従って、第３流路３２に配置された調節プレート４２の空気抵抗が最も大きく、第１流路３０に配置された調節プレート４０の空気抵抗が最も小さい。そして、第２流路３１に配置された調節プレート４１の空気抵抗は、第１流路３０に配置された調節プレート４０のそれよりも大きく、第３流路３２に配置された調節プレート４２のそれよりも小さい。
【００３０】
空調機本体１２から送風された空気は、ダクト１５を通って送風ユニット１４Ｂの空気流入口２５から空気流路２７に流入し、そこから第１流路３０と第２流路３１と第３流路３２とに分流する。この送風ユニット１４Ｂでは、第１流路３０に設置された調節プレート４０の空気抵抗が最も小さく、第３流路３２に設置された調節プレート４２の空気抵抗が最も大きく、第２流路に設置された調節プレート４１の空気抵抗がそれらの中間であるので、各流路３０，３１，３２を流れる空調空気の風速は第１流路３０のそれが最も速く、第３流路３２のそれが最も遅くなり、第２流路３１のそれが第１および第３流路３０，３２のそれらの中間の速さとなる。第３流路３２を流れる空気の風速を１とすると、第２流路３１を流れる空気の風速が第３流路３２を流れる空気のそれの２〜３倍、第１流路３０を流れる空気の風速が第３流路３２を流れる空気のそれの３〜５倍であることが好ましい。なお、第３流路３２を流れる空気の風速の好ましい範囲は、図１の送風ユニット１４Ａのそれと同一である。
【００３１】
この送風ユニット１４Ｂは、第１〜第３流路３０，３１，３２を流れる空気の風速が第３流路３２から第１流路３０に向かって順次大きいので、空気吹出口２６の上方から風速の最も速い空気が室内２１に放出される結果、室内２１の遠方に空気を送ることができ、空気吹出口２６の下方から風速の最も遅い空気が室内２１に放出される結果、送風ユニット１４Ｂの近辺における室内２１に空気を送ることができ、更には、空気吹出口２６の上下方向中央から中間程度の風速の空気が室内２１に放出される結果、室内２１の遠方と送風ユニット１４Ｂの近辺との間の室内２１中央に空気を送ることができる。
【００３２】
送風ユニット１４Ｂは、図２に示されるように風速の最も速い空気が高さ寸法の高い製造設備１９や事務設備１９の上方を越えて設備１９の裏側に達し（図２の矢印Ｌ１）、中間程度の風速の空気が高さ寸法の低い製造設備１９や事務設備１９の上方を越えて設備１９の裏側に達する（図２の矢印Ｌ２）ので、それら設備１９によって室内２１における空気の流動が阻止されることはない。送風ユニット１４Ｂは、空気を室内２１全域に満遍なく行き渡らせることができ、室内２１における空気のよどみの発生を防ぐことができる。送風ユニット１４Ｂは、それを使用することで、図４に示されるように温度分布のムラのない快適な空調を構築することができる。この送風ユニット１４Ｂは、それの設置に天井内ダクト工事や天井仕上げ工事、保温工事等を行う必要がなく、送風ユニット１４Ｂを廉価に設置することができ、さらに、それを自由に移設することができるので、室内２１のレイアウト変更に応じて配置を容易に変えることができる。
【００３３】
図６は、他の実施例に係る送風ユニット１４Ｃの内部構造を概略的に示す構成説明図である。図６では、上下方向を矢印Ａで示し、前後方向を矢印Ｃで示す。空調装置１０の空調機本体１２は図１に示されるものと同一であり、室２１における設備１９の配置は図２，４のそれと同一であるので、図１，２，４を援用することで、それらの説明を省略する。ただし、空調機本体１２の構成要素からは、エアフィルタが除かれている。以下、この送風ユニット１４Ｃが図３のユニット１４Ａと異なる点のみを説明する。
【００３４】
送風ユニット１４Ｃの空気流路２７には、上下方向へ並ぶ２枚の第１及び第２仕切板２８，２９と、３つのモータダンパ３５，３６，３７と、エアフィルタ４８とが設置されている。それら仕切板２８，２９は、空気流入口２５から空気吹出口２６に向かって前後方向へ水平に延びている。空気流路２７は、仕切板２８，２９によって上下方向に並ぶ第１流路〜第３流路３０，３１，３２（第ｎ流路）に区分されている。第１流路３０は、空気流路２７を上下方向に区分した３つの流路のうち上方に位置する流路であり、第２流路３１は、３つの流路のうち中央に位置する流路であり、第３流路３２は、３つの流路のうち下方に位置する流路である。第１〜第３流路３０，３１，３２における空気の入口部３３の面積および出口部３４の面積は同一である。
【００３５】
ダンパ３５は第１流路３０の略中央に位置し、ダンパ３６は第２流路３１の略中央に位置し、ダンパ３７は第３流路３２の略中央に位置している。それらダンパ３５，３６，３７は、図３のそれらと同一であり、コントローラに接続されたモジュトロールモータ３８と、モータ３８の駆動力を介して旋回する旋回羽根３９とから構成されている。羽根３９の開度を調節することで、第１〜第３流路３０，３１，３２を流れる空気の流量を調節することができる。すべてのダンパ３５，３６，３７の羽根３９が流路３０，３１，３２に水平の場合、それら流路３０，３１，３２を流れる空気の流量は同一である。エアフィルタ４８は、空気流路２７の空気流入口２５近傍に設置されている。
【００３６】
この送風ユニット１４Ｃでは、第１〜第３流路３０，３１，３２を流れる空気の流量が第３流路３２から第１流路３０に向かって順次大きくなるようにモータダンパ３５，３６，３７の羽根３９の開度が調節されている。空調機本体１２から送風された空気は、ダクト１５を通って送風ユニット１４Ｃの空気流入口２５からエアフィルタ４８を通過して清浄された後、第１流路３０と第２流路３１と第３流路３２とに分流する。それらダンパ３５，３６，３７の羽根の角度は、ダンパ３７の羽根３９が最も大きく、ダンパ３５の羽根３９が最も小さく、ダンパ３６の羽根３９がダンパ３５とダンパ３７との各羽根の角度の中間である。
【００３７】
従って、ダンパ３５の羽根３９により規制される第１流路３０を流れる空気の流量が最も多く、ダンパ３７の羽根３９により規制される第３流路３２を流れる空気の流量が最も少ない。そして、第２流路３１における空気の流量は、第１流路３０を流れる空気の流量よりも少なく、第３流路３２を流れる空気の流量よりも多い。
【００３８】
このユニット１４Ｃでは、第１流路３０を流れる空気の流量が最も多いにもかかわらず、第１〜第３流路３０，３１，３２における空気の出口部３４の面積が同一であるので、それら流路３０，３１，３２から室内２１に放出される空気の風速は、第１流路３０から放出される空気の風速が最も速く、第３流路３２から放出される空気の風速が最も遅く、更に第２流路３１から放出される空気の風速が第１及び第３流路３０，３２から放出される空気の各風速の中間の速さとなる。第３流路３２から放出される空気の風速を１とすると、第２流路３１から放出される空気の風速が第３流路３２から放出される空気の風速の２〜３倍、第１流路３０から放出される空気の風速が第３流路３２から放出される空気の風速の３〜５倍であることが好ましい。なお、第３流路３２を流れる空気の風速の好ましい範囲は、図３の送風ユニット１４Ａのそれと同一である。
【００３９】
この送風ユニット１４Ｃは、第１〜第３流路３０，３１，３２を流れる空気の流量が第３流路３２から第１流路３０に向かって順次大きいので、空気吹出口２６の上方から風速の最も速い空気が室内２１に放出される結果、室内２１の遠方に空気を送ることができ、空気吹出口２６の下方から風速の最も遅い空気が室内２１に放出される結果、送風ユニット１４Ｃの近辺における室内２１に空気を送ることができ、更には、空気吹出口２６の上下方向中央から中間程度の風速の空気が室内２１に放出される結果、室内２１の遠方と送風ユニット１４Ｃの近辺との間の室内２１中央に空気を送ることができる。
【００４０】
送風ユニット１４Ｃは、図２に示されるように風速の最も速い空気が高さ寸法の高い製造設備１９や事務設備１９の上方を越えて設備１９の裏側に達し（図２の矢印Ｌ１）、中間程度の風速の空気が高さ寸法の低い製造設備１９や事務設備１９の上方を越えて設備１９の裏側に達する（図２の矢印Ｌ２）ので、それら設備１９によって室内２１における空気の流動が阻止されることはない。送風ユニット１４Ｃは、空気を室内２１全域に満遍なく行き渡らせることができ、室内２１における空気のよどみの発生を防ぐことができる。送風ユニット１４Ｃは、それを使用することで、図４に示されるように温度分布のムラのない快適な空調を構築することができる。この送風ユニット１４Ｃは、それの設置に天井内ダクト工事や天井仕上げ工事、保温工事等を行う必要がなく、送風ユニット１４Ｃを廉価に設置することができ、さらに、それを自由に移設することができるので、室内２１のレイアウト変更に応じて配置を容易に変えることができる。この送風ユニット１４Ｃは、それにエアフィルタ４８が設置されているので、送風ユニット１４Ｃにおいて空気清浄を行うことができる。
【００４１】
図７は、他の実施例に係る送風ユニット１４Ｄの内部構造を概略的に示す構成説明図である。図７では、ダクト１５の図示を省略し、上下方向を矢印Ａで示し、前後方向を矢印Ｃで示す。空調装置１０の空調機本体１２は図１に示される実施例のものと同一であり、室２１における設備１９の配置は図２，４のそれと同一であるので、図１，２，４を援用することで、それらの説明を省略する。ただし、空調機本体１２の構成要素からは、熱交換器とエアフィルタとが除かれている。以下、この送風ユニット１４Ｄが図３のユニット１４Ａと異なる点のみを説明する。
【００４２】
送風ユニット１４Ｄの空気流路２７には、上下方向へ並ぶ２枚の第１および第２仕切板２８，２９と、３つのモータダンパ３５，３６，３７と、熱交換器４９と、エアフィルタ４８とが設置されている。ダンパ３５，３６，３７とエアフィルタ４８と熱交換器４９とは、空気流入口２５から空気吹出口２６に向かって、熱交換器４９、エアフィルタ４８、ダンパ３５，３６，３７の順に並んでいる。熱交換器４９の下方には、ドレンパン５０が設置されている。
【００４３】
それら仕切板２８，２９は、空気流入口２５から空気吹出口２６に向かって前後方向へ水平に延びている。空気流路２７は、仕切板２８，２９によって上下方向に並ぶ第１流路〜第３流路３０，３１，３２（第ｎ流路）に区分されている。第１流路３０は３つに区分された流路３０，３１，３２のうち上方に位置する流路であり、第２流路３１は３つに区分された流路３０，３１，３２のうち中央に位置する流路であり、第３流路３２は３つに区分された流路３０，３１，３２のうち下方に位置する流路である。第１〜第３流路３０，３１，３２における空気の入口部３３の面積および出口部３４の面積は同一である。ダンパ３５は第１流路３０の略中央に位置し、ダンパ３６は第２流路３１の略中央に位置し、ダンパ３７は第３流路３２の略中央に位置している。
【００４４】
それらダンパ３５，３６，３７は、図３のそれらと同一であり、コントローラに接続されたモジュトロールモータ３８と、モータ３８の駆動力を介して旋回する旋回羽根３９とから形成されている。羽根３９の開度を調整することで、第１〜第３流路３０，３１，３２を通過する空気の流量を調節することができる。すべてのダンパ３５，３６，３７の羽根３９が流路３０，３１，３２に対して水平の場合、それら流路３０，３１，３２を流れる空気の流量は同一である。
【００４５】
この送風ユニット１４Ｄでは、第１〜第３流路３０，３１，３２を流れる空気の流量が第３流路３２から第１流路３０に向かって順次大きくなるようにモータダンパ３５，３６，３７の羽根３９の開度が調節されている。空調機本体１２から送風された空気は、ダクト１５を通って送風ユニット１４Ｄの空気流入口２５から熱交換器４９に流入して温風または冷風となった後、エアフィルタ４８を通過して清浄され、その後、第１流路３０と第２流路３１と第３流路３２とに分流する。それらダンパ３５，３６，３７の羽根の旋回角度は、ダンパ３７の羽根３９のそれが最も大きく、ダンパ３５の羽根３９のそれが最も小さく、ダンパ３６の羽根３９のそれがダンパ３５とダンパ３７との羽根のそれの中間である。
【００４６】
その結果、ダンパ３５の羽根３９により第１流路３０を流れる空気の流量が最も多く、ダンパ３７の羽根３９により規制される第３流路３２を流れる空気の流量が最も少ない。そして、第２流路３１を流れる空気の流量は、第１流路３０を流れる空気の流量よりも少なく、第３流路３２を流れる空気の流量よりも多い。
【００４７】
このユニット１４Ｄでは、第１流路３０を流れる空気の流量が最も多いにもかかわらず、第１〜第３流路３０，３１，３２における空気の出口部３４の面積が同一であるので、それら流路３０，３１，３２から室内２１に放出される空気の風速は第１流路３０のそれが最も速く、第３流路３２のそれが最も遅く、更に第２流路３１のそれが第１及び第３流路３０，３２のそれらの中間の速さとなる。第３流路３２を流れる空気の風速を１とすると、第２流路３１を流れる空気の風速が第３流路３２を流れる空気のそれの２〜３倍、第１流路３０を流れる空気の風速が第３流路３２を流れる空気のそれの３〜５倍であることが好ましい。なお、第３流路３２を流れる空気の風速の好ましい範囲は、図３の送風ユニット１４Ａのそれと同一である。
【００４８】
この送風ユニット１４Ｄは、第１〜第３流路３０，３１，３２を通過する空気の流量が第３流路３２から第１流路３０に向かって順次大きいので、空気吹出口２６の上方から風速の最も速い空気が室内２１に放出される結果、室内２１の遠方に空気を送ることができ、空気吹出口２６の下方から風速の最も遅い空気が室内２１に放出される結果、送風ユニット１４Ｄの近辺における室内２１に空気を送ることができ、更には、空気吹出口２６の上下方向中央から中間程度の風速の空気が室内２１に放出される結果、室内２１の遠方とユニット１４Ｆの近辺との間の室内２１中央に空気を送ることができる。
【００４９】
送風ユニット１４Ｄは、図２に示されるように風速の最も速い空気が高さ寸法の高い製造設備１９や事務設備１９の上方を越えて設備１９の裏側に達し（図２の矢印Ｌ１）、中間程度の風速の空気が高さ寸法の低い製造設備１９や事務設備１９の上方を越えて設備１９の裏側に達するから（図２の矢印Ｌ２）、それら設備１９によって室内２１における空気の流動が阻止されることはない。送風ユニット１４Ｆは、空気を室内２１全域に満遍なく行き渡らせることができ、室内２１における空気のよどみの発生を防ぐことができる。送風ユニット１４Ｆは、それを使用することで、図４に示されるように温度分布のムラのない快適な空調を構築することができる。
【００５０】
この送風ユニット１４Ｄは、それの設置に天井内ダクト工事や天井仕上げ工事、保温工事等を行う必要がなく、送風ユニット１４Ｄを廉価に設置することができ、さらに、それを自由に移設することができるので、室内２１のレイアウト変更に応じて配置を容易に変えることができる。この送風ユニット１４Ｄは、それにエアフィルタ４８や熱交換器４９が設置されているので、送風ユニット１４Ｄにおいて温風や冷風を作ることができ、送風ユニット１４Ｄにおいて空気清浄を行うことができる。
【００５１】
図８は、送風ユニット１４Ｅの内部構造の他の一例を示す構成説明図である。図８では、ダクト１５の図示を省略し、上下方向を矢印Ａで示し、前後方向を矢印Ｃで示す。空調装置１０の機器収容ボックス１２や空調機を形成する各機器は図１のそれらと同一であり、室２１における設備１９の配置は図２，４のそれと同一であるので、図１，２，４を援用することで、それらの説明を省略する。ただし、空調機本体１２の構成要素からは、熱交換器とエアフィルタと送風機とが除かれている。以下、この送風ユニット１４Ｅが図３のユニット１４Ａと異なる点のみを説明する。
【００５２】
送風ユニット１４Ｅの空気流路２７には、上下方向へ並ぶ２枚の第１及び第２仕切板２８，２９と、３つのモータダンパ３５，３６，３７と、熱交換器４９と、送風機５１と、エアフィルタ４８とが設置されている。ダンパ３５，３６，３７とエアフィルタ４８と熱交換器４９と送風機５１とは、空気流入口２５から空気吹出口２６に向かって、熱交換器４９、送風機５１、エアフィルタ４８、ダンパ３５，３６，３７の順に並んでいる。熱交換器４９の下方には、ドレンパン５０が設置されている。
【００５３】
それら仕切板２８，２９は、空気流入口２５から空気吹出口２６に向かって前後方向へ水平に延びている。空気流路２７は、仕切板２８，２９によって上下方向に並ぶ第１流路〜第３流路３０，３１，３２（第ｎ流路）に区分されている。第１流路３０は空気流路２７の上方に形成され、第２流路３１は空気流路２７の中央に形成され、第３流路３２は空気流路２７の下方に形成されている。第１〜第３流路３０，３１，３２における空気の入口部３３の面積および出口部３４の面積は同一である。ダンパ３５は第１流路３０の略中央に位置し、ダンパ３６は第２流路３１の略中央に位置し、ダンパ３７は第３流路３２の略中央に位置している。
【００５４】
これらのダンパ３５，３６，３７は、図３のそれらと同一であり、コントローラに接続されたモジュトロールモータ３８と、モータ３８の駆動力を介して旋回する旋回羽根３９とから形成されている。羽根３９の開度を調整することで、第１〜第３流路３０，３１，３２を通過する空気の流量を調節することができる。すべてのダンパ３５，３６，３７の羽根３９が流路３０，３１，３２に対して水平の場合、それら流路３０，３１，３２を通過する空気の流量は同一である。
【００５５】
この送風ユニット１４Ｅでは、第１〜第３流路３０，３１，３２を流れる空気の流量が第３流路３２から第１流路３０に向かって順次大きくなるようにモータダンパ３５，３６，３７の羽根３９の開度が調節されている。空調機本体１２から送風された空気は、ダクト１５を通って送風ユニット１４Ｅの空気流入口２５から熱交換器４９に流入して温風又は冷風となった後、送風機５１によってエアフィルタ４８に送られ、エアフィルタ４８で清浄されて第１流路３０と第２流路３１と第３流路３２とに分流する。それらダンパ３５，３６，３７の羽根の旋回角度は、ダンパ３７の羽根３９のそれが最も大きく、ダンパ３５の羽根３９のそれが最も小さく、ダンパ３６の羽根３９のそれがダンパ３５とダンパ３７との羽根のそれの中間である。
【００５６】
その結果、ダンパ３５の羽根３９により規制される第１流路３０を流れる空気の流量が最も多く、ダンパ３７の羽根３９により規制される第３流路３２を流れる空気の流量が最も少ない。そして、第２流路３１を流れる空気の流量は、第１流路３０を流れる空気の流量よりも少なく、第３流路３２を流れる空気の流量よりも多い。
【００５７】
このユニット１４Ｅでは、第１流路３０を流れる空気の流量が最も多いにもかかわらず、第１〜第３流路３０，３１，３２における空気の出口部３４の面積が同一であるので、それら流路３０，３１，３２から室内２１に放出される空気の風速は第１流路３０のそれが最も速く、第３流路３２のそれが最も遅く、更に第２流路３１のそれが第１及び第３流路３０，３２のそれらの中間の速さとなる。第３流路３２を流れる空気の風速を１とすると、第２流路３１を流れる空気の風速が第３流路３２を流れる空気のそれの２〜３倍、第１流路３０を流れる空気の風速が第３流路３２を流れる空気のそれの３〜５倍であることが好ましい。なお、第３流路３２を流れる空気の風速の好ましい範囲は、図３の送風ユニット１４Ａのそれと同一である。
【００５８】
この送風ユニット１４Ｅは、第１〜第３流路３０，３１，３２を流れる空気の流量が第３流路３２から第１流路３０に向かって順次大きいので、空気吹出口２６の上方から風速の最も速い空気が室内２１に放出される結果、室内２１の遠方に空気を送ることができ、空気吹出口２６の下方から風速の最も遅い空気が室内２１に放出される結果、送風ユニット１４Ｅの近辺における室内２１に空気を送ることができ、更に、空気吹出口２６の上下方向中央から中間程度の風速の空気が室内２１に放出される結果、室内２１の遠方と送風ユニット１４Ｅの近辺との間の室内２１中央に空気を送ることができる。
【００５９】
これにより、送風ユニット１４Ｅでは、図２に示されるように風速の最も速い空気が高さ寸法の高い製造設備１９や事務設備１９の上方を越えて設備１９の裏側に達し（図２の矢印Ｌ１）、中間程度の風速の空気が高さ寸法の低い製造設備１９や事務設備１９の上方を越えて設備１９の裏側に達するから（図２の矢印Ｌ２）、それら設備１９によって室内２１における空気の流動が阻止されることはない。送風ユニット１４Ｅは、空気を室内２１全域に満遍なく行き渡らせることができ、室内２１における空気のよどみの発生を防ぐことができる。送風ユニット１４Ｆは、それを使用することで、図４に示されるように温度分布のムラのない快適な空調を構築することができる。
【００６０】
この送風ユニット１４Ｅは、それの設置に天井内ダクト工事や天井仕上げ工事、保温工事等を行う必要がなく、送風ユニット１４Ｅを廉価に設置することができ、さらに、それを自由に移設することができるので、室内２１のレイアウト変更に応じて配置を容易に変えることができる。この送風ユニット１４Ｅは、それにエアフィルタ４８や熱交換器４９、送風機５１が設置されているので、ユニット１４Ｆにおいて温風や冷風を作り、温風や冷風を送風することができ、ユニット１４Ｆにおいて空気清浄を行うことができる。
【００６１】
前述した各実施形態の送風ユニット１４Ａ，１４Ｂは、それが空調機本体１２の頂部１３に取り付けられているが、送風ユニット１４Ａ，１４Ｂのみが室内２１に設置され、空調機本体１２が室外に施設されていてもよい。この場合は、送風ユニット１４Ａ，１４Ｂが室１１の壁１６，１７に上部に固定され、空調機本体１２から延びるダクトに送風ユニット１４Ａ，１４Ｂが連結される。また、図３、及び図５〜図８に示される送風ユニット１４Ａ〜１４Ｅは、空気流路２７が仕切板２８，２９によって第１〜第３流路３０，３１，３２に区分されているが、空気流路２７が１枚の仕切板によって第１〜第２流路に区分されていてもよく、空気流路２７が３枚以上の仕切板によって複数に区分されていてもよい。
【符号の説明】
【００６２】
１０    空調装置
１１    室
１４Ａ〜１４Ｅ    送風ユニット
２１    室内
２５    空気流入口
２６    空気吹出口
２７    空気流路
２８    仕切板
２９    仕切板
３０    第１流路
３１    第２流路
３２    第３流路
３３    入口部
３４    出口部
３５    モータダンパ（ダンパ）
３６    モータダンパ（ダンパ）
３７    モータダンパ（ダンパ）
３９    旋回羽根
４０    調節プレート
４１    調節プレート
４２    調節プレート
４３    空気流通孔
４４    空気流通孔
４５    空気流通孔
４８    エアフィルタ
４９    熱交換器
５１    送風機
【図１】
2010025549.tif 000003
【図２】
2010025549.tif 000004
【図３】
2010025549.tif 000005
【図４】
2010025549.tif 000006
【図５】
2010025549.tif 000007
【図６】
2010025549.tif 000008
【図７】
2010025549.tif 000009
【図８】
2010025549.tif 000010